(57)【特許請求の範囲】
【請求項１】
感光体と、
前記感光体を露光する露光部材と、
前記感光体に当接し、当該感光体と前記露光部材との間隔を保持する間隔保持部材と、を備えた画像形成装置の製造方法であって、
前記露光部材の光軸方向における焦点位置の調整量に対応した、前記露光部材の光軸方向に異なる大きさとなる複数の間隔保持部材を用意する工程と、
前記露光部材の前記感光体に対する焦点位置のデータを取得する工程と、
前記データに基づいて、当該データに対応した間隔保持部材を複数の中から選択する工程と、
選択した間隔保持部材を前記露光部材に組み付ける工程と、
を有し、
前記間隔保持部材は、大きさごとに色が異なることを特徴とする画像形成装置の製造方法。
【請求項２】
前記露光部材に組み付けられた前記間隔保持部材の色をセンサで検知することで、正しい間隔保持部材が組み付けられているかを検査する工程を有することを特徴とする請求項１に記載の画像形成装置の製造方法。
【請求項３】
感光体と、
前記感光体を露光する露光部材と、
前記感光体の長手方向一端側および他端側に設けられ、前記感光体に当接し、当該感光体と前記露光部材との間隔を保持する間隔保持部材と、を備えた画像形成装置の製造方法であって、
前記露光部材の光軸方向における焦点位置の調整量に対応した、前記露光部材の光軸方向に異なる大きさとなる複数の間隔保持部材を用意する工程と、
前記露光部材の前記感光体に対する焦点位置の測定値を取得する工程と、
前記測定値に基づいて、当該測定値に対応した前記一端側および前記他端側の間隔保持部材を複数の中からそれぞれ選択する工程と、
選択した間隔保持部材を前記露光部材に組み付ける工程と、
を有することを特徴とする画像形成装置の製造方法。
【請求項４】
前記焦点位置の測定値を取得する工程において、前記露光部材の光軸方向における焦点位置の測定値と、前記露光部材の副走査方向における結像位置の測定値とに基づき、前記露光部材の前記感光体に対する焦点位置の測定値を取得することを特徴とする請求項３に記載の画像形成装置の製造方法。
【請求項５】
前記間隔保持部材は、前記感光体と当接して回転するコロであることを特徴とする請求項１〜請求項４のいずれか１項に記載の画像形成装置の製造方法。
【発明の詳細な説明】
【技術分野】
【０００１】
本発明は、感光体と露光部材との間隔を保持する間隔保持部材を有する画像形成装置の製造方法に関する。
【背景技術】
【０００２】
従来、画像形成装置として、感光ドラム（感光体）と、感光ドラムを露光するＬＥＤヘッドおよび当該ＬＥＤヘッドを支持する支持部材（露光部材）と、支持部材に設けられ、感光ドラムに当接しながら回転するガイドローラ（間隔保持部材）と、支持部材とＬＥＤヘッドの間に設けられ、ＬＥＤヘッドを光軸方向に移動させる偏心カムとを備えるものが知られている（特許文献１参照）。この技術では、画像形成装置の製造時において、偏心カムを操作することで、感光ドラムに対するＬＥＤヘッドの焦点位置を調整している。
【先行技術文献】
【特許文献】
【０００３】
【特許文献１】特開２０１０−８９１３号公報
【発明の概要】
【発明が解決しようとする課題】
【０００４】
しかしながら、従来技術では、偏心カムを設けている分、装置が大型化するとともに、コストがかかるといった問題があった。
【０００５】
そこで、本発明は、装置の小型化およびコスト削減に寄与する画像形成装置の製造方法を提供することを目的とする。
【課題を解決するための手段】
【０００６】
前記課題を解決するため、本発明に係る画像形成装置の製造方法は、露光部材の光軸方向における焦点位置の調整量に対応した、露光部材の光軸方向に異なる大きさとなる複数の間隔保持部材を用意する工程と、露光部材の感光体に対する焦点位置のデータを取得する工程と、データに基づいて、当該データに対応した間隔保持部材を複数の中から選択する工程と、選択した間隔保持部材を露光部材に組み付ける工程と、を有する。
【０００７】
これによれば、画像形成時に使用する部品である間隔保持部材を複数種類の中から選択して露光部材に組み付けることで焦点位置の調整を行うことができるので、従来のように露光部材の焦点位置調整用の専用部品を別途設ける必要がなくなり、装置の小型化およびコスト削減を図ることができる。
【０００８】
また、前記した製造方法において、前記間隔保持部材は、大きさごとに色が異なるものを用意しておくのが望ましい。
【０００９】
これによれば、作業者が間違えて異なる大きさの間隔保持部材を露光部材に組み付けるのを抑制することができる。
【００１０】
また、前記した製造方法において、前記露光部材に組み付けられた前記間隔保持部材の色をセンサで検知することで、正しい間隔保持部材が組み付けられているかを検査する工程を有するのが望ましい。
【００１１】
これによれば、間隔保持部材の組立間違いをセンサで自動的に判定することができる。
【００１２】
なお、前記間隔保持部材としては、例えば、前記感光体と当接して回転するコロを採用することができる。
【発明の効果】
【００１３】
本発明によれば、装置の小型化およびコスト削減を図ることができる。
【図面の簡単な説明】
【００１４】
【図１】実施形態に係る画像形成装置の一例としてのカラープリンタの概略構成を示す図である。
【図２】トップカバーを開いた状態のカラープリンタを示す図である。
【図３】ＬＥＤユニットとホルダを組み付けた状態を示す斜視図である。
【図４】コロ周りの構造を拡大して示す斜視図である。
【図５】支持補助部材の変形部周りの構造を左右方向に直交する面で切った断面図である。
【図６】ＬＥＤヘッドの焦点位置をＣＣＤセンサで測定する工程を示す図である。
【図７】各ＬＥＤの焦点位置の光軸方向のずれを示す図（ａ）と、各ＬＥＤの結像位置の副走査方向のずれを示す図（ｂ）である。
【図８】２種類のコロを示す図（ａ）と、小さい方のコロを支持フレームに組み付けたときの状態を簡略的に示す図（ｂ）と、大きい方のコロを支持フレームに組み付けたときの状態を簡略的に示す図（ｃ）である。
【図９】コロの色を光センサで検出する工程を示す図である。
【発明を実施するための形態】
【００１５】
次に、本発明の一実施形態について、適宜図面を参照しながら詳細に説明する。なお、以下の説明においては、まず、画像形成装置の一例としてのカラープリンタ１の概略構成を簡単に説明した後、本発明の特徴部分の構成について詳細に説明する。
【００１６】
また、以下の説明において、方向は、カラープリンタ１を使用するユーザを基準にした方向で説明する。すなわち、図１における左側を「前」、右側を「後」とし、奥側を「左」、手前側を「右」とする。また、図１における上下方向を「上下」とする。
【００１７】
＜カラープリンタの概略構成＞
図１に示すように、カラープリンタ１は、本体フレーム１０と、トップカバー１１と、本体フレーム１０内に設けられた給紙部２０および画像形成部３０とを主に備えている。
【００１８】
トップカバー１１は、本体フレーム１０の上部に配置され、後側の回動軸１１Ａを中心として本体フレーム１０に対し回動可能に設けられており、本体フレーム１０の上部に形成された開口１０Ａを開閉する。具体的には、トップカバー１１は、開口１０Ａを閉鎖する閉鎖位置（図１の位置）と、開口１０Ａを開放する開放位置（図２の位置）とに揺動（移動）可能となっている。
【００１９】
給紙部２０は、本体フレーム１０内の下部に設けられ、用紙Ｐを収容する給紙トレイ２１と、給紙トレイ２１から用紙Ｐを画像形成部３０に供給する用紙供給機構２２とを主に備えている。給紙トレイ２１内の用紙Ｐは、用紙供給機構２２によって１枚ずつ分離されて画像形成部３０に供給される。
【００２０】
画像形成部３０は、４つのＬＥＤユニット４０と、４つのプロセスカートリッジ５０と、転写ユニット７０と、定着ユニット８０とを主に備えて構成されている。
【００２１】
ＬＥＤユニット４０は、その先端に複数のＬＥＤを有し、トップカバー１１から吊り下げられるようにトップカバー１１（詳しくは、後述するホルダ４００）に保持されている。このＬＥＤユニット４０は、トップカバー１１を閉じた状態において、後述する感光体の一例としての感光体ドラム５１の上方に対向して配置されている。このＬＥＤユニット４０は、複数のＬＥＤが画像データに基づいて明滅することで、感光体ドラム５１の表面を露光する。なお、ＬＥＤユニット４０の構造については、後で詳述する。
【００２２】
各プロセスカートリッジ５０は、トップカバー１１と給紙トレイ２１との間で前後方向に沿って並列配置されている。各プロセスカートリッジ５０は、図２に示すトップカバー１１が開かれた状態において、本体フレーム１０の開口１０Ａを通して着脱可能に装着される構成となっている。また、プロセスカートリッジ５０は、それぞれ、感光体ドラム５１や、図示せぬ帯電器や、符号を省略して示す公知の現像ローラ、トナー収容室などを備えて構成されている。
【００２３】
転写ユニット７０は、給紙トレイ２１とプロセスカートリッジ５０との間に設けられ、駆動ローラ７１と、従動ローラ７２と、駆動ローラ７１と従動ローラ７２の間に張設された無端状の搬送ベルト７３と、４つの転写ローラ７４とを主に備えている。搬送ベルト７３は、外側の面が各感光体ドラム５１に接しており、その内側には各転写ローラ７４が各感光体ドラム５１との間で搬送ベルト７３を挟持するように配置されている。
【００２４】
定着ユニット８０は、プロセスカートリッジ５０および転写ユニット７０の後方に設けられ、加熱ローラ８１と、加熱ローラ８１と対向配置されて加熱ローラ８１を押圧する加圧ローラ８２とを主に備えている。
【００２５】
このような画像形成部３０では、感光体ドラム５１の表面が、帯電器により一様に帯電された後、ＬＥＤユニット４０によって露光されることで、感光体ドラム５１上に画像データに基づく静電潜像が形成される。そして、感光体ドラム５１に現像ローラからトナーが供給されることで、静電潜像が可視像化されて感光体ドラム５１上にトナー像が形成される。
【００２６】
各感光体ドラム５１上に形成されたトナー像は、給紙部２０から搬送された用紙Ｐが、感光体ドラム５１と搬送ベルト７３（転写ローラ７４）の間を搬送されることで、用紙Ｐ上に順次重ね合わせて転写される。トナー像が転写された用紙Ｐは、加熱ローラ８１と加圧ローラ８２の間を搬送されることでトナー像が熱定着される。その後、用紙Ｐは、搬送ローラ９１によって本体フレーム１０内から外部に排出され、トップカバー１１の上面に形成された排紙トレイ１１Ｂ上に載置される。
【００２７】
＜ＬＥＤユニット周りの構造＞
次に、ＬＥＤユニット４０周りの構造について詳細に説明する。
図３に示すように、ＬＥＤユニット４０は、トップカバー１１に回動可能に支持されるホルダ４００によって吊り下げられた状態で支持されており、主に、露光部材の一例としてのＬＥＤヘッド１００および支持フレーム２００と、間隔保持部材の一例としてのコロ３００とを備えている。
【００２８】
〔ＬＥＤヘッド１００〕
ＬＥＤヘッド１００は、長尺状に形成される樹脂製の保持ケース１１０と、保持ケース１１０内に設けられ、半導体チップに多数のＬＥＤを配列して構成された複数のＬＥＤアレイ（図示略）と、複数のＬＥＤアレイの下方に配置されて保持ケース１１０で保持されるレンズアレイ１２０とを備えて構成されている。また、保持ケース１１０内には、ＬＥＤアレイを制御するための基板１３０（図６参照）が設けられている。
【００２９】
〔支持フレーム２００〕
支持フレーム２００は、ＬＥＤヘッド１００を支持する樹脂製のフレームであり、左右方向に延びるベース部２１０と、ベース部２１０の左右方向（長手方向）における両端部から下方に延出する一対の延出部２２０とを備えて構成されている。
【００３０】
ベース部２１０は、ホルダ４００に設けられる保持アーム４１０によって、上下方向に移動可能に支持されている。また、ベース部２１０とホルダ４００との間には、ベース部２１０を下方（感光体ドラム５１）に向けて付勢するためのコイルバネ２７０が設けられている。
【００３１】
図４および図５に示すように、延出部２２０には、支持補助部材２３０と、コロ３００とが設けられている。また、上下方向に延びる延出部２２０の上下方向における中間部には、ＬＥＤヘッド１００を支持するための台座部２２１が左右方向内側に延びるように形成されている。
【００３２】
なお、左右の各延出部２２０周りの構造は、略左右対称な構造であるため、以下の説明では、左右の一方の延出部２２０周りの構造のみを説明することとする。
【００３３】
支持補助部材２３０は、樹脂製の部材であり、上壁部２３１と、上壁部２３１の後端から下方に延びる後壁部２３２と、上壁部２３１の下側に設けられる変形部２３３と、後壁部２３２の下端部から前方に延びる突出部２３４とを有している。
【００３４】
変形部２３３は、上下方向において弾性変形可能な部位であり、上壁部２３１の前端から下方に延びた後、後方に向けて延び、その先端部が下方に開口したＵ字状に形成されている。そして、変形部２３３は、そのＵ字状の先端部によって、ＬＥＤヘッド１００を台座部２２１に向けて付勢するように構成されている。
【００３５】
詳しくは、ベース部２１０と、台座部２２１に載置されたＬＥＤヘッド１００との間で、支持補助部材２３０の上壁部２３１および変形部２３３が挟み込まれたときに、変形部２３３が変形することで、当該変形部２３３によってＬＥＤヘッド１００が台座部２２１に付勢されるようになっている。言い換えると、ＬＥＤヘッド１００は、支持補助部材２３０を介して（利用して）支持フレーム２００に支持されるようになっている。
【００３６】
［コロ３００］
コロ３００は、ＬＥＤヘッド１００の下端面（レンズ面）と感光体ドラム５１との間隔を保持するための樹脂製の部材であり、延出部２２０の下端部に形成される軸支孔２２２に支持される樹脂製の回転軸２５０によって回転可能に支持されている。そして、支持フレーム２００がコイルバネ２７０（図３参照）によって下方に付勢されることで、コロ３００が感光体ドラム５１に接触して当該感光体ドラム５１とともに回転するようになっている。
【００３７】
回転軸２５０は、軸支孔２２２とコロ３００の中心に形成された孔とを貫通するように設けられている。回転軸２５０の左右方向外側の端部には、回転軸２５０が左右方向内側へ移動して外れるのを規制するフランジ部２５１が形成されている。
【００３８】
また、回転軸２５０の左右方向内側の端部には、径方向内側に向けて凹む溝２５２が形成されている。そして、この溝２５２内に、支持補助部材２３０の突出部２３４が嵌合するようになっている。
【００３９】
このように支持補助部材２３０の突出部２３４が回転軸２５０の溝２５２内に嵌合することで、回転軸２５０の左右方向外側（軸方向外側）への移動を規制して、回転軸２５０が左右方向外側に外れるのを抑えることが可能となっている。
【００４０】
＜カラープリンタ１の製造方法＞
次に、カラープリンタ１の製造方法、特にＬＥＤユニット４０の製造方法について説明する。
本発明に係るＬＥＤユニット４０の製造方法は、ＬＥＤヘッド１００の光軸方向に異なる大きさとなる複数のコロ３００を用意する第１工程と、ＬＥＤヘッド１００の感光体ドラム５１に対する焦点位置のデータを取得する第２工程と、第２工程で取得した焦点位置のデータに基づいて、当該データに対応したコロ３００を複数の中から選択する第３工程とを有している。さらに、本製造方法は、選択したコロ３００を支持フレーム２００に組み付ける第４工程と、支持フレーム２００に組み付けられたコロ３００の色をセンサで検知することで、正しいコロ３００が組み付けられているかを検査する第５工程とを有している。
【００４１】
第１工程では、ＬＥＤヘッド１００の光軸方向における焦点位置の調整量に対応した、半径の異なる２種類のコロ３１０，３２０（図８（ａ）参照）を用意する。具体的には、例えば、焦点位置の調整量を０．１ｍｍにしたい場合には、一方のコロ３１０に対して他方のコロ３２０の半径が０．１ｍｍだけ大きくなるように、各コロ３１０，３２０を用意する（例えば、直径７．４ｍｍのコロ３１０と、直径７．６ｍｍのコロ３２０を用意する）。
【００４２】
この際、コロ３００は、大きさごとに色が異なるもの（例えば白と黒）を用意しておく。これにより、作業者が間違えて異なる大きさのコロ３００を支持フレーム２００に組み付けるのを抑制することが可能となっている。
【００４３】
第２工程では、図６に示すように、ＣＣＤセンサ５００の上方に配置される図示せぬ治具にＬＥＤヘッド１００をセットすることで、ＬＥＤヘッド１００のレンズ面をＣＣＤセンサ５００から所定距離（ＬＥＤヘッド１００のレンズ面と感光体ドラム５１間の距離と同じ距離）だけ離れた位置に配置する。そして、このＣＣＤセンサ５００を主走査方向（長手方向）と副走査方向（短手方向）とに移動させつつ、ＬＥＤヘッド１００から光を出射することで、所定数のＬＥＤの焦点位置を測定する。
【００４４】
ここで、測定するＬＥＤの数は、全部であってもよいし、一部であってもよい。
測定により、得られるデータの一例を、図７（ａ），（ｂ）に示す。
【００４５】
図７（ａ）に示すデータは、主走査方向（Ｘ軸）に並ぶ各ＬＥＤの焦点位置の光軸方向（Ｚ軸）でのずれを示すデータであり、例えば図の曲線のように測定される。そして、この曲線のデータの近似直線を計算し、この近似直線の右端の値Ｚ１と、光軸方向の基準位置Ｚｂ（設計値）との差を、走査開始位置での第１ずれ量ΔＺ１として算出し、近似直線の左端の値Ｚ２と基準位置Ｚｂとの差を、走査終了位置での第２ずれ量ΔＺ２として算出する。
【００４６】
一方、図７（ｂ）に示すデータは、主走査方向（Ｘ軸）に並ぶ各ＬＥＤの結像位置の副走査方向（Ｙ軸）でのずれを示すデータであり、例えば図の曲線のように測定される。そして、この曲線のデータの近似直線を計算し、この近似直線の右端の値Ｙ１と、副走査方向の基準位置Ｙｂ（設計値）との差を、走査開始位置での第３ずれ量ΔＹ１として算出し、近似直線の左端の値Ｙ２と基準位置Ｙｂとの差を、走査終了位置での第４ずれ量ΔＹ２として算出する。
【００４７】
ここで、本実施形態では、感光面が円筒状であることから、前述した副走査方向において結像位置が基準位置Ｙｂからずれると、その位置における焦点位置が光軸方向において感光面から離れることになる。そのため、算出した第３、第４ずれ量ΔＹ１，ΔＹ２を、下記の式（１）を用いて、光軸方向のずれに換算する。
Ｚｙｎ  ＝  Ｒ  −  ΔＹｎ／（ＴＡＮ（ＡＳＩＮ（ΔＹｎ／Ｒ）））・・・（１）
Ｚｙｎ：光軸方向のずれ量（Ｚｙ１，Ｚｙ２）
Ｒ：感光体ドラム５１の半径
ΔＹｎ：副走査方向のずれ量（ΔＹ１，ΔＹ２）
【００４８】
その後は、算出したずれ量Ｚｙ１を第１ずれ量ΔＺ１に加算することで判定値Ｘ１を得るとともに、算出したずれ量Ｚｙ２を第２ずれ量ΔＺ２に加算することで判定値Ｘ２を得る。
【００４９】
なお、本実施形態では、ＣＣＤセンサ５００による測定から判定値Ｘ１，Ｘ２を得るまでの工程を、第２工程としたが、本発明はこれに限定されず、第２工程では焦点位置のデータである判定値Ｘ１，Ｘ２が取得できればよく、ＣＣＤセンサ５００による測定は必ずしも必要はない。すなわち、例えば、ＣＣＤセンサ５００による測定から判定値Ｘ１，Ｘ２を算出するまでの工程を、他の工場で行っておき、判定値Ｘ１，Ｘ２を基板１３０のＥＥＰＲＯＭ内に記憶させておく場合には、ＥＥＰＲＯＭから判定値Ｘ１，Ｘ２をコンピュータ等で取得する工程を、第２工程としてもよい。
【００５０】
第３工程では、第２工程にて取得した判定値Ｘ１，Ｘ２が、ＬＥＤヘッド１００の焦点位置が感光面に対して下にずれることを示すデータである場合、例えば所定の第１範囲（０＜Ｘ≦α）である場合には、大きい方のコロ３２０を選択する。また、判定値Ｘ１，Ｘ２が、ＬＥＤヘッド１００の焦点位置が感光面に対して上にずれることを示すデータである場合、例えば所定の第２範囲（−α≦Ｘ≦０）である場合には、小さい方のコロ３１０を選択する。
【００５１】
さらに、第２工程にて取得した判定値Ｘ１，Ｘ２が、焦点位置が感光面からずれすぎていることを示すデータである場合、例えば第１範囲よりも大きい、または、第２範囲よりも小さい場合（Ｘ＞α，Ｘ＜−α）には、ＬＥＤヘッド１００を不良品として廃棄する。具体的に、第３工程では、判定値Ｘ１，Ｘ２と第１範囲および第２範囲との比較をコンピュータ等で自動的に行い、その比較した結果を画面等によって作業者に報知するようにすればよい。
【００５２】
第４工程では、第３工程にて選択したコロ３００を支持フレーム２００に組み付ける。具体的には、支持フレーム２００に対して、ＬＥＤヘッド１００と当該ＬＥＤヘッド１００に対応したコロ３００を、前述した支持補助部材２３０によって組み付ける。
【００５３】
これにより、図８（ｂ），（ｃ）に示すように、ＬＥＤヘッド１００のレンズ面と感光体ドラム５１間の距離を、２種類のコロ３１０，３２０でＬ１またはＬ２に変更することができるので、複数のＬＥＤの各焦点位置を感光面に合わせることが可能となっている。
【００５４】
さらに、画像形成時に使用する部品であるコロ３００を複数種類の中から選択して支持フレーム２００に組み付けることで焦点位置の調整を行うことができるので、従来のように露光部材の焦点位置調整用の専用部品を別途設ける必要がなくなり、装置の小型化およびコスト削減を図ることが可能となっている。
【００５５】
第５工程では、図９に示すように、ＬＥＤヘッド１００およびコロ３００を組み付けた支持フレーム２００を、検査用の治具６００にセットする。そして、検査用の治具６００の下側に配置された一対の光センサ６１０によって各コロ３００の色を検知する。
【００５６】
これにより、検知した各コロ３００の色が、第３工程で選択したコロに対応した色か否かをコンピュータ等で自動的に判定することができるので、各コロ３００が正しく組み付けられているか否かを自動的に判定することが可能となっている。
【００５７】
なお、本発明は前記実施形態に限定されることなく、以下に例示するように様々な形態で利用できる。
【００５８】
前記実施形態では、左右方向に一列に配列された複数のＬＥＤアレイとレンズアレイ１２０とにより複数の明滅部を構成したが、本発明はこれに限定されるものではない。例えば、左右方向に並ぶ複数のＬＥＤを前後に複数列有するものを複数の明滅部としてもよい。また、ＬＥＤや蛍光灯などの１つの発光素子と、発光素子の外側に、左右方向に並んだ複数の液晶またはＰＬＺＴ素子の光学シャッタとで、複数の明滅部を構成してもよい。
【００５９】
また、露光部材の光源としては、ＬＥＤに限らず、ＥＬ（エレクトロ・ルミネッセンス）素子や蛍光体などであってもよい。なお、露光部材で露光する対象は、前記実施形態のように感光体ドラム５１に限らず、例えばベルト状の感光体であってもよい。
【００６０】
前記実施形態では、間隔保持部材として回転可能なコロ３００を例示したが、本発明はこれに限定されず、例えば回転しない部材であってもよい。
【００６１】
前記実施形態では、用意しておく間隔保持部材（コロ３００）を２種類としたが、本発明はこれに限定されず、３種類以上であってもよい。
【００６２】
前記実施形態では、カラープリンタ１に本発明を適用したが、本発明はこれに限定されず、その他の画像形成装置、例えば複写機や複合機などに本発明を適用してもよい。
【符号の説明】
【００６３】
１      カラープリンタ
５１    感光体ドラム
１００  ＬＥＤヘッド
２００  支持フレーム
３００，３１０，３２０  コロ
【図１】
0005928885.tif 000002
【図２】
0005928885.tif 000003
【図３】
0005928885.tif 000004
【図４】
0005928885.tif 000005
【図５】
0005928885.tif 000006
【図６】
0005928885.tif 000007
【図７】
0005928885.tif 000008
【図８】
0005928885.tif 000009
【図９】
0005928885.tif 000010